(57)【要約】【課題】複数の画像を切り替え表示させる場合に、被写体を特定した状態での画像切替操作という簡単な操作で、その被写体を含む他の画像に切り替えて表示できるようにする。【解決手段】ＣＰＵ１は、複数の画像を切り替えて表示させる場合に、タッチ画面ＴＤに表示されている画像内に含まれている任意の被写体を特定した状態での画像切替操作であるか、例えば、タッチ画面ＴＤをタッチしながら移動するタッチ・スライド操作（画像切替操作）を行う場合に、最初のタッチ位置が人物の顔位置か否かに基づいて被写体を特定した状態での画像切替操作であるかを判別し、被写体を特定した状態での画像切替操作であれば、その被写体を含む他の画像を選択して、その選択画像をタッチ画面ＴＤに切り替え表示させる。【選択図】  図１
2010097393.tif 000002
【特許請求の範囲】
【請求項１】
複数の画像を切り替えて表示画面に表示する画像表示装置であって、
前記画像の切り替えを指示する画像切替操作を検出する検出手段と、
この検出手段によって画像切替操作が検出された際に、前記表示画面に表示されている画像内に含まれている任意の被写体を特定した状態での画像切替操作であるか否かを判別する判別手段と、
この判別手段によって被写体を特定した状態での画像切替操作であると判別された場合に、その被写体を含む他の画像を選択して、その選択画像を前記表示画面に切り替え表示させる画像切替手段と、
を具備したことを特徴とする画像表示装置。
【請求項２】
前記画像切替操作は、前記表示画面上で行われるスライド移動操作であり、
前記判別手段は、前記スライド移動操作を開始する際の最初の指定位置に被写体が含まれているか否かに基づいて被写体を特定した状態での画像切替操作であるか否かを判別する、
ようにしたことを特徴とする請求項１記載の画像表示装置。
【請求項３】
前記画像切替操作は、前記表示画面上に配置されているタッチ操作面を接触するタッチ操作であり、
前記判別手段は、前記検出手段によって前記タッチ操作が検出された際に、このタッチ操作の最初のタッチ位置に被写体が含まれていれば、被写体を特定した状態での画像切替操作であると判別する、
ようにしたことを特徴とする請求項１あるいは２記載の画像表示装置。
【請求項４】
前記画像切替操作は、前記表示画面に画像が表示されている状態で当該装置本体を振る振り操作であり、
前記判別手段は、前記検出手段によって前記振り操作が検出された際に、前記表示画面に表示されている画像内の任意の被写体を選択するための選択操作が行われていれば、被写体を特定した状態での画像切替操作であると判別する、
ようにしたことを特徴とする請求項１記載の画像表示装置。
【請求項５】
前記画像切替操作は、前記表示画面に画像が表示されている状態での特定キー操作であり、
前記判別手段は、前記検出手段によって前記特定キー操作が検出された際に、前記表示画面に表示されている画像内の任意の被写体を選択するための選択操作が行われていれば、被写体を特定した状態での画像切替操作であると判別する、
ようにしたことを特徴とする請求項１記載の画像表示装置。
【請求項６】
前記被写体は、前記表示画面に表示されている画像内で任意に選択された部分を画像解析することによって特定した所定の被写体であり、
前記判別手段は、前記検出手段によって画像切替操作が検出された際に、前記画像解析によって所定の被写体が特定されていれば、被写体を特定した状態での画像切替操作であると判別する、
ようにしたことを特徴とする請求項１記載の画像表示装置。
【請求項７】
前記被写体は、前記表示画面に表示されている画像内で任意に選択された部分を画像解析することによって特定した所定の被写体であり、
前記画像解析によって所定の被写体が特定された場合に、その被写体を識別表示する識別表示手段を更に備える、
ようにしたことを特徴とする請求項１記載の画像表示装置。
【請求項８】
前記判別手段は、画像内の複数の被写体を特定した状態での画像切替操作であるか否かを判別し、
前記画像切替手段は、前記判別手段によって複数の被写体を特定した状態での画像切替操作であると判別された場合に、各被写体を共通して含む他の画像を選択して、その選択画像を前記表示画面に切り替え表示させる、
ようにしたことを特徴とする請求項１記載の画像表示装置。
【請求項９】
前記判別手段は、前記表示画面に表示されている画像内の任意の被写体を選択するための選択操作が行われている状態において、前記検出手段によって画像切替操作が検出された際に、被写体を特定した状態での画像切替操作であると判別する、
ようにしたことを特徴とする請求項１記載の画像表示装置。
【請求項１０】
前記画像切替手段は、前記判別手段によって被写体を特定していない状態での画像切替操作であると判別された場合に、予め決められている順位に従って画像を選択して、その選択画像を前記表示画面に切り替え表示させる、
ようにしたことを特徴とする請求項１記載の画像表示装置。
【請求項１１】
前記画像切替手段は、更に、前記画像切替操作が複数回行われた際に、その各操作間の時間間隔に基づいて画像の切替時間を設定し、その切替時間に応じて画像を選択して、その選択画像を前記表示画面に切り替え表示させる、
ようにしたことを特徴とする請求項１記載の画像表示装置。
【請求項１２】
予め指定された人物に対応してその名前と顔の特徴情報を記憶する人物情報記憶手段と、
前記画像内に含まれている被写体が前記人物情報記憶手段内の人物と特徴的に同じであれば、その人物の名前を読み出して案内出力する案内手段と、
を更に備えるようにしたことを特徴とする請求項１記載の画像表示装置。
【請求項１３】
コンピュータに対して、
複数の画像を切り替えて表示画面に表示する場合に、画像の切り替えを指示する画像切替操作を検出する機能と、
前記画像切替操作が検出された際に、前記表示画面に表示されている画像内に含まれている任意の被写体を特定した状態での画像切替操作であるか否かを判別する機能と、
前記被写体を特定した状態での画像切替操作であると判別された場合に、その被写体を含む他の画像を選択して、その選択画像を前記表示画面に切り替え表示する機能と、
を実現させるためのプログラム。
【発明の詳細な説明】
【技術分野】
【０００１】
この発明は、複数の画像を切り替えて表示画面に表示する画像表示装置及びプログラムに関する。
【背景技術】
【０００２】
従来、複数の画像を切り替えて表示画面に表示する技術として、例えば、タッチ操作で選択された複数のサムネイル画像を順次切り替えることによってスライドショー表示を行うようにした技術が存在している（特許文献１参照）。また、表示画面上に画像が表示されている状態において、ユーザの指によるタッチ・スライド操作（タッチ移動操作）が行われる毎に、次の画像に順次切り替えて表示するようにした技術が存在している（特許文献２参照）。
【０００３】
上述した特許文献１の技術にあっては、多数の画像をサムネイル表示させてその一つ一つを確認しながら所望する画像を一つ一つ選択する作業が必要となり、ユーザに大きな負担をかけてしまう。また、上述した特許文献２の技術にあっては、予め決められている表示対象画像を所定の順序で切り替えて表示させるものであるため、必ずしもユーザが所望する画像が表示されるとは限らなかった。
そこで、従来では、ユーザが所望する画像を切り替えて表示させる技術としては、例えば、検索用のキー画像（人物の顔画像）が指定されると、このキー画像を含む画像を検索して表示させるようにした技術が存在している（特許文献３参照）。
【特許文献１】特開２００５−９２３８６号公報
【特許文献２】特開平８−７６９２６号公報
【特許文献３】特開２００２−２０７７４１号公報
【発明の開示】
【発明が解決しようとする課題】
【０００４】
しかしながら、上述した特許文献３の技術にあっては、画像の検索抽出を行うためには、それ独自の検索抽出手順に従って所定の指示操作が必要となり、今見ている画像に含まれている被写体のうち所望する被写体を含む画像のみを簡易に検索抽出することはできなかった。
【０００５】
この発明の課題は、複数の画像を切り替えて表示させる場合に、被写体を特定した状態での画像切替操作という簡単な操作で、その被写体を含む他の画像に切り替えて表示できるようにすることである。
【課題を解決するための手段】
【０００６】
上述した課題を解決するために請求項１記載の発明は、複数の画像を切り替えて表示画面に表示する画像表示装置であって、前記画像の切り替えを指示する画像切替操作を検出する検出手段と、この検出手段によって前記画像に対する画像切替操作が検出された際に、前記表示画面に表示されている画像内に含まれている任意の被写体を特定した状態での画像切替操作であるか否かを判別する判別手段と、この判別手段によって被写体を特定した状態での画像切替操作であると判別された場合に、その被写体を含む他の画像を選択して、その選択画像を前記表示画面に切り替え表示させる画像切替手段と、を具備したことを特徴とする。
【０００７】
請求項１に従属する発明として、前記画像切替操作は、前記表示画面上で行われるスライド移動操作であり、前記判別手段は、前記スライド移動操作を開始する際の最初の指定位置に被写体が含まれているか否かに基づいて被写体を特定した状態での画像切替操作であるか否かを判別する、ようにしたことを特徴とする請求項２記載の発明であってもよい。
【０００８】
請求項１あるいは２に従属する発明として、前記画像切替操作は、前記表示画面上に配置されているタッチ操作面を接触するタッチ操作であり、前記判別手段は、前記検出手段によって前記タッチ操作が検出された際に、このタッチ操作の最初のタッチ位置に被写体が含まれていれば、被写体を特定した状態での画像切替操作であると判別する、ようにしたことを特徴とする請求項３記載の発明であってもよい。
【０００９】
請求項１に従属する発明として、前記画像切替操作は、前記表示画面に画像が表示されている状態で当該装置本体を振る振り操作であり、前記判別手段は、前記検出手段によって前記振り操作が検出された際に、前記表示画面に表示されている画像内の任意の被写体を選択するための選択操作が行われていれば、被写体を特定した状態での画像切替操作であると判別する、ようにしたことを特徴とする請求項４記載の発明であってもよい。
【００１０】
請求項１に従属する発明として、前記画像切替操作は、前記表示画面に画像が表示されている状態での特定キー操作であり、前記判別手段は、前記検出手段によって前記特定キー操作が検出された際に、前記表示画面に表示されている画像内の任意の被写体を選択するための選択操作が行われていれば、被写体を特定した状態での画像切替操作であると判別する、ようにしたことを特徴とする請求項５記載の発明であってもよい。
【００１１】
請求項１に従属する発明として、前記被写体は、前記表示画面に表示されている画像内で任意に選択された部分を画像解析することによって特定した所定の被写体であり、前記判別手段は、前記検出手段によって画像切替操作が検出された際に、前記画像解析によって所定の被写体が特定されていれば、被写体を特定した状態での画像切替操作であると判別する、ようにしたことを特徴とする請求項６記載の発明であってもよい。
【００１２】
請求項１に従属する発明として、前記被写体は、前記表示画面に表示されている画像内で任意に選択された部分を画像解析することによって特定した所定の被写体であり、前記画像解析によって所定の被写体が特定された場合に、その部分を識別表示する識別表示手段を更に備える、ようにしたことを特徴とする請求項７記載の発明であってもよい。
【００１３】
請求項１に従属する発明として、前記判別手段は、画像内の複数の被写体を特定した状態での画像切替操作であるか否かを判別し、前記画像切替手段は、前記判別手段によって複数の被写体を特定した状態での画像切替操作であると判別された場合に、各被写体を共通して含む他の画像を選択して、その選択画像を前記表示画面に切り替え表示させる、ようにしたことを特徴とする請求項８記載の発明であってもよい。
【００１４】
請求項１に従属する発明として、前記判別手段は、前記表示画面に表示されている画像内の任意の被写体を選択するための選択操作が行われている状態において、前記検出手段によって画像切替操作が検出された際に、被写体を特定した状態での画像切替操作であると判別する、ようにしたことを特徴とする請求項９記載の発明であってもよい。
【００１５】
請求項１に従属する発明として、前記画像切替手段は、前記判別手段によって被写体を特定していない状態での画像切替操作であると判別された場合に、予め決められている順位に従って画像を選択して、その選択画像を前記表示画面に切り替え表示させる、ようにしたことを特徴とする請求項１０記載の発明であってもよい。
【００１６】
請求項１に従属する発明として、前記画像切替手段は、更に、前記画像切替操作が複数回行われた際に、その各操作間の時間間隔に基づいて画像の切替時間を設定し、その切替時間に応じて画像を選択して、その選択画像を前記表示画面に切り替え表示させる、ようにしたことを特徴とする請求項１１記載の発明であってもよい。
【００１７】
請求項１に従属する発明として、予め指定された人物に対応してその名前と顔の特徴情報を記憶する人物情報記憶手段と、前記画像内に含まれている被写体が前記人物情報記憶手段内の人物と特徴的に同じであれば、その人物の名前を読み出して案内出力する案内手段と、を更に備えるようにしたことを特徴とする請求項１２記載の発明であってもよい。
【００１８】
また、上述した課題を解決するために請求項１３記載の発明は、コンピュータに対して、複数の画像を切り替えて表示画面に表示する場合に、画像に対する画像切替操作を検出する機能と、前記画像切替操作が検出された際に、前記表示画面に表示されている画像内に含まれている被写体を特定した状態での画像切替操作であるか否かを判別する機能と、前記被写体を特定した状態での画像切替操作であると判別された場合に、その被写体を含む他の画像を選択して、その選択画像を前記表示画面に切り替え表示する機能と、を実現させるためのプログラムを特徴とする。
【発明の効果】
【００１９】
この発明によれば、複数の画像を切り替えて表示させる場合に、被写体を特定した状態での画像切替操作という簡単な操作で、その被写体を含む他の画像に切り替えて表示させることができ、画像切り替えのバリエーションの多様化が可能となる。
【発明を実施するための最良の形態】
【００２０】
以下、図１〜図６を参照して本発明の実施形態を説明する。
この実施形態は、画像表示装置として携帯電話装置に適用した場合を例示したもので、図１は、この携帯電話装置の基本的な構成要素を示したブロック図である。
携帯電話装置は、その装置本体を構成する複数の筐体（操作側筐体、表示側筐体）が可動自在（開閉自在及び回動自在）に連結されていると共に、この連結状態に応じて複数のスタイル（クローズスタイル、オープンスタイル、ビュースタイルなど）に変更可能な２軸ヒンジタイプで、通話機能、電子メール機能、インターネット接続機能（Ｗｅｂアクセス機能）、カメラ機能などのほか、複数の画像を切り替えて表示するスライドショー表示機能が備えられている。
【００２１】
ＣＰＵ１は、二次電池を備えた電源部２からの電力供給によって動作し、記憶部３内の各種のプログラムに応じてこの携帯電話装置の全体動作を制御する中核的な中央演算処理装置である。記憶部３は、内部メモリであり、プログラム領域とデータ領域とを有し、このプログラム領域には、後述する図３及び図４に示す動作手順に応じて本実施形態を実現するためのプログラムが格納され、データ領域には、後述するアドレス帳ＡＤ、画像フォルダＧＦなどが格納されている。記録メディア４は、着脱自在な可搬型メモリ（外部メモリ）で、例えば、ＳＤカード、ＩＣカードなどによって構成され、画像、音楽などを記憶する。メモリ５は、ワーク領域を有する内部メモリであり、必要に応じてメモリ５内の各種のデータは、記憶部３にセーブされる。
【００２２】
電話通信部６は、無線部、ベースバンド部、多重分離部などを備え、例えば、通話機能、電子メール機能、インターネット接続機能の動作時に最寄りの基地局（図示せず）との間でデータの送受信を行う電話通信手段で、通話機能の動作時にはベースバンド部の受信側から信号を取り込んで受信ベースバンド信号に復調したのち、音声信号処理部７を介して通話用スピーカＳＰから音声出力させ、また、通話用マイクＭＣからの入力音声データを音声信号処理部７から取り込み、送信ベースバンド信号に符号化したのち、ベースバンド部の送信側に与えてアンテナから発信出力させる。操作部８は、ダイヤル入力、文字入力、コマンド入力などを行うもので、ＣＰＵ１は、操作部８からの入力信号に応じた処理を実行する。計時部９は、現在日時を計測する時計部や時間を計測するタイマを構成する。
【００２３】
撮像部１０は、静止画撮影のほかに動画撮影も可能なカメラ機能の構成要素で、撮影レンズ、レンズ・ミラーブロック、撮像素子、その駆動系のほか、測距センサ、光量センサ、アナログ処理回路、信号処理回路、圧縮伸張回路などを備え、光学ズームを調整制御したり、オートフォーカス時の駆動を制御したり、シャッター駆動を制御したり、露出、ホワイトバランスなどを制御したりする。この撮像部１０によって撮像された画像は、画像フォルダＧＦに記録保存される。表示部１１は、例えば、高精細液晶あるいは有機ＥＬなどを使用し、アイコン、文字データ、待受画像、撮像部１０によって撮像された画像、画像フォルダＧＦに記録保存されている画像などを表示するもので、その表示パネルの表面に、指、器具などの物体の接触を検出する接触操作部（タッチ操作面を構成する透明な接触センサ）１２を積層配設することによってタッチスクリーン（タッチ画面）ＴＤを構成している。
【００２４】
接触操作部１２は、タッチ画面ＴＤへの接触をタッチ操作として検出し、その検出結果をＣＰＵ１に与えるが、その際、ＣＰＵ１は、サウンドスピーカ１３を駆動してタッチ操作が行われたことを示すタッチ音として“ピッ”などを発生させる。このタッチ画面ＴＤに画像フォルダＧＦ内の画像が表示されている状態において、タッチ画面ＴＤを指や物で接触しながら移動するスライド移動操作（タッチ・スライド操作）が行われると、ＣＰＵ１は、このタッチ・スライド操作を画像切替操作として他の画像に切り替え表示させるが、その際、タッチ画面ＴＤに表示されている画像内の被写体を特定した状態での画像切替操作（タッチ・スライド操作）であるか否かを判別するようにしている。
【００２５】
ここで、被写体を特定しない状態でのタッチ・スライド操作が行われた場合には、画像フォルダＧＦから次の画像を選択して読み出し、タッチ画面ＴＤに切り替え表示させるが、被写体を特定した状態でのタッチ・スライド操作が行われた場合には、その被写体を含む他の画像を画像フォルダＧＦから全て検索抽出し、その中から選択した画像をタッチ画面ＴＤに切り替えて表示させるようにしている。
【００２６】
この場合、“被写体”とは、人物の顔を示し、また、“被写体を特定した状態での画像切替操作”とは、タッチ・スライド操作を開始する際の最初の指定位置（タッチ位置）に被写体（人物の顔）が含まれている場合、あるいは予め所望する被写体（人物の顔）の位置をタッチしてその人物を選択したのち、顔以外の位置からのタッチ・スライド操作が行われた場合のいずれかを意味している。すなわち、所望する人物の顔位置からタッチ・スライド操作が行われた場合と、予め所望する人物を特定するためにその顔を選択する選択操作を行ったのちに、顔位置以外からタッチ・スライド操作が行われた場合に、ＣＰＵ１は、被写体を特定した状態での画像切替操作が行われたと判断する。
【００２７】
従って、所望する人物を特定するための操作と画像の切り替えを指示する操作とを同時に行った場合でも、それらの操作を切り離して別々に行った場合でも、人物を特定する操作が伴っていれば、被写体を特定した状態での画像切替操作が行われたと判断する。ここで、人物の顔を特定した状態でのタッチ・スライド操作であれば、その人物の顔が写っている他の画像を全て検索抽出し、その中から選択した画像を切り替え表示させるが、人物の顔を特定しない状態でのタッチ・スライド操作であれば、予め決められている順位（例えば、撮影日時順）に従って次の画像を選択して切り替え表示させるようにしている。
【００２８】
加速度センサ１４は、例えば、３軸タイプのセンサで、装置本体の向きを検出したり、装置本体を振ったときの振り方向を検出したり、装置本体を振ったときの加速度を検出したりする。ＣＰＵ１は、タッチ画面ＴＤに画像が表示されている状態において、加速度センサ１４によって装置本体が振られたことが検出されると、この振り操作を画像切替操作として他の画像に切り替え表示させるが、その際、タッチ画面ＴＤに表示されている画像内の被写体（人物の顔）を特定した状態での画像切替操作（振り操作）であるか否かを判別するようにしている。
【００２９】
ここで、被写体を特定した状態での画像切替操作（振り操作）とは、予め所望する人物を特定するためにその顔を選択する選択操作を行ったのちに、装置本体を所定方向（例えば、左右方向）に振る（移動させる）振り操作が行われた場合で、人物の顔を特定しない状態で振り操作が行われた場合には、画像フォルダＧＦから次の画像を読み出してタッチ画面ＴＤに切り替え表示させるが、人物の顔を特定した状態で振り操作が行われた場合には、その人物の顔を含む他の画像を選択して画像フォルダＧＦから読み出し、その選択画像をタッチ画面ＴＤに切り替え表示させるようにしている。
【００３０】
図２は、アドレス帳ＡＤを説明するための図である。
アドレス帳ＡＤは、通信相手に関する情報を記憶するもので、「名前」、「電話番号」、「メールアドレス」、「顔情報」の各項目を有する構成となっている。「顔情報」は、撮像部１０によって予め撮像した通信相手の顔画像や相手側の端末装置から受信取得した当該相手の顔画像あるいは操作部８から任意に入力された相手の顔の特徴を示すテキスト情報などである。ＣＰＵ１は、タッチ画面ＴＤに表示されている画像内の被写体を特定した状態で画像切替操作（タッチ・スライド操作あるいは振り操作）が行われた際に、この画像内の被写体（顔画像）を解析し、その解析結果に基づいてアドレス帳ＡＤ内の「顔情報」を検索し、同一の特徴を持った人物を特定するようにしている。
【００３１】
次に、この実施形態における携帯電話装置の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。なお、図３、図４は、携帯電話装置の全体動作のうち、本実施形態の特徴部分の動作概要を示したフローチャートであり、この図３、図４のフローから抜けた際には、全体動作のメインフロー（図示省略）に戻る。
【００３２】
図３及び図４は、ユーザ操作によって画像表示が指示された際に実行開始される動作を示したフローチャートである。
先ず、ＣＰＵ１は、画像フォルダＧＦから各画像を読み出して（図３のステップＳ１）、その画像一覧をタッチ画面ＴＤにサムネイル表示させる（ステップＳ２）。このサムネイル表示の中から所望する画像の表示位置を接触するタッチ操作によって当該画像が選択指定されると（ステップＳ３でＹＥＳ）、この選択された画像をタッチ画面ＴＤの大きさに応じたサイズ（フルサイズ）で表示させる（ステップＳ４）。
【００３３】
そして、このタッチ画面ＴＤにフルサイズ表示されている画像を解析しながら人物の各部位やその位置関係などから人物の有無をチェックし、人物が写っていれば、その顔部分の検出を行う（ステップＳ５）。この場合、選択画像内に複数の人物が写っていれば、各人の顔をそれぞれ検出する。これによって人物の顔部分を検出すると、顔の検出が完了したことを示すために顔アイコンを表示させる（ステップＳ６）。図５（１）は、選択された画像がタッチ画面ＴＤにフルサイズで表示されている状態を例示したもので、図中、人物の上半身を表したシンボル図形は、タッチ画面ＴＤの右上隅部に表示された顔アイコンｉｃを示している。
【００３４】
この状態において、画像の切り替えを指示するタッチ・スライド操作が行われたかを調べる（ステップＳ７）。いま、図５（１）に示すように、図中、矢印方向へのタッチ・スライド操作が行われた場合には、人物の顔位置からのタッチ・スライド操作であるかを調べる（ステップＳ８）。すなわち、タッチ・スライド操作を開始する際の最初のタッチ位置に人物の顔部分が写っているか、言い換えれば、所望する人物を特定するためのタッチ操作と、画像の切り替えを指示するためのタッチ操作とが同時に行われたかを調べるが、図５（１）の例では、最初のタッチ位置は顔部分から外れているので、ステップＳ１４に移る。ここでは、タッチ・スライド操作が行われる前に、人物の顔部分を選択する選択操作が行われているか、言い換えれば、顔選択操作直後のタッチ・スライド操作であるかを調べる。
【００３５】
ここで、顔選択直後のタッチ・スライド操作でなければ（ステップＳ１４でＮＯ）、後述する画像検索抽出済みか否かを調べるが（ステップＳ１６）、画像検索抽出済みでもなければ（ステップＳ１６でＮＯ）、予め決められている順位（例えば、撮影日時順）に従って画像フォルダＧＦから次の画像を選択して読み出し（ステップＳ１７）、この選択画像をタッチ画面ＴＤにフルサイズで切り替え表示させる（ステップＳ１８）。その後、上述のステップＳ５に戻る。
【００３６】
一方、図５（２）に示すように顔位置からのタッチ・スライド操作であれば（ステップＳ８でＹＥＳ）、選択画像内の人物の顔部分を解析し、その顔の特徴を特定する（ステップＳ９）。この場合、顔の輪郭、目、口、鼻、額などの形、位置、大きさ、髪型、メガネの有無などを総合的に判断してその顔の特徴を特定する（以下、同様）。これによって特定した顔の特徴情報と画像フォルダＧＦ内の各画像とを比較しながら同じ特徴を持った人物が写っている他の画像を検索し、該当する画像があれば、それらの画像を全て抽出する画像検索抽出処理を行う（ステップＳ１０）。
【００３７】
図５（２）の例は、左端の子の顔位置からタッチ・スライド操作が行われた場合を示し、この左端の子が写っている他の全ての画像が画像フォルダＧＦから検索抽出される。これによって検索抽出した各画像の中から予め決められている順位（例えば、撮影日時順）に従って1枚の画像を選択し（ステップＳ１１）、この選択画像をタッチ画面ＴＤに切り替え表示させる（ステップＳ１２）。そして、表示された画像内において、上述のステップＳ９で特定した顔と同じ特徴を持つ人物の顔部分に矩形の枠を表示させたのち（ステップＳ１３）、上述のステップＳ５に戻る。なお、この枠表示によって同一の人物であることが明示されると共に、顔を特定済みであることが明示される。
【００３８】
このように顔位置からのタッチ・スライド操作によって同一人物が写っている他の画像を全て検索抽出した状態（画像検索抽出済み）において、更に、タッチ・スライド操作が行われた場合に（ステップＳ７でＹＥＳ）、顔位置からのタッチ・スライド操作でなければ（ステップＳ８でＮＯ）、上述のステップＳ１４に移るが、いま、顔選択直後のタッチ・スライド操作ではないので（ステップＳ１４でＮＯ）、更に、ステップＳ１６に移る。この場合、画像検索抽出済みとなっているため（ステップＳ１６でＹＥＳ）、この抽出済み画像の中から次の画像を選択して切り替え表示させる（ステップＳ１１、Ｓ１２）。以下、顔位置以外からのタッチ・スライド操作が行われる毎に、上述の動作が繰り返される結果、抽出済み画像の中から選択した画像が順次切り替え表示される。
【００３９】
なお、図５（２）は、１本の指で一人の顔の位置をタッチしたままの状態でタッチ・スライド操作を行った場合を例示したが、図５（３）に示すように２本の指で二人の顔の位置をタッチした状態でタッチ・スライド操作を行った場合でも、上述と同様の動作が行われる。すなわち、図５（３）に示すように左端の子、真中の子の顔を同時にタッチしたままの状態でタッチ・スライド操作が行われると（ステップＳ８でＹＥＳ）、二人の顔の特徴をそれぞれ特定したのち（ステップＳ９）、特定した二人が含まれている（揃って写っている）他の全ての画像を検索抽出したのち（ステップＳ１０）、この検索抽出した各画像の中からその1枚の画像を選択し（ステップＳ１１）、この選択画像を切り替え表示させる（ステップＳ１２）。このことは、３人以上の顔を３本以上の指で同時にタッチしたままの状態でタッチ・スライド操作が行われた場合であっても同様である。
【００４０】
他方、タッチ・スライド操作が検出されなければ（ステップＳ７でＮＯ）、図４のフローに移って、顔アイコンｉｃがタッチされたかを調べる（ステップＳ１９）。いま、図６（１）に示すように顔アイコンｉｃがタッチされたときには（ステップＳ１９でＹＥＳ）、タッチ音を発生させると共に、人物の顔部分に顔マークとして、矩形の破線マークを表示させる（ステップＳ２０）。この顔マークは、画像内に写っている各人物の顔部分を明示してその部分がタッチ範囲であることを案内するもので、所望する人物を選択するためにその人物の顔マーク部分を接触するタッチ操作が行われると（ステップＳ２１）、この顔マークを破線表示から実線表示に変更したのち（ステップＳ２２）、選択した人物の顔部分の画像を解析し、その顔の特徴を特定する（ステップＳ２３）。
【００４１】
これによって特定した顔の特徴情報と、アドレス帳ＡＤの「顔情報」とを比較しながら同じ特徴を持った人物を検索し（ステップＳ２４）、該当する人物を検索することができたときには（ステップＳ２５でＹＥＳ）、その「名前」をアドレス帳ＡＤから読み出し、その顔部分に対応付けて表示させる（ステップＳ２６）。このようにして一人分の処理が終わると、引き続いて他の人物を選択することがユーザ操作で指示されたかを調べ（ステップＳ２７）、その指示が無ければ、図３のステップＳ５に戻るが、他の人物を継続選択することが指示されたときには（ステップＳ２７でＹＥＳ）、上述のステップＳ２１に戻る。
【００４２】
ここで、所望する人物を選択するためにその人物の顔マーク部分を接触するタッチ操作が行われる毎に（ステップＳ２１）、上述の動作を繰り返す（ステップＳ２２〜Ｓ２７）。図６（２）は、一人目（左端の子）の顔をタッチしたのち、二人目（真中の子）の顔の位置をタッチした場合を示している。なお、他選択の指示がなければ（ステップＳ２７でＮＯ）、図３のステップＳ５に戻る。
【００４３】
そして、上述ように予め所望する人物を特定するためにその顔を選択する選択操作が行われたのち、タッチ・スライド操作が行われた場合（ステップＳ７）、図６（３）に示すように顔位置以外からスライド操作であれば（ステップＳ８でＮＯ）、上述のステップＳ１４に移るが、いま、顔選択直後のタッチ・スライド操作であるので（ステップＳ１４でＹＥＳ）、上述のステップＳ９で特定した顔の特徴情報と、画像フォルダＧＦ内の各画像とを比較しながら同じ特徴を持った人物が写っている他の画像を検索し、該当する画像があれば、それらの画像を全て抽出する（ステップＳ１５）。なお、図６（３）の例では、左端の子、真中の子の二人が揃って写っている他の全ての画像が検索抽出される。そして、この抽出済み画像の中から次の画像を選択して切り替え表示させる（ステップＳ１１、Ｓ１２）。
【００４４】
ここで、顔位置以外からタッチ・スライド操作が行われた場合（ステップＳ８でＮＯ）、顔選択直後のタッチ・スライド操作ではないが（ステップＳ１４でＮＯ）、画像抽出済みであるため（ステップＳ１６でＹＥＳ）、上述の検索抽出済み画像の中から次の画像を選択して切り替え表示させる（ステップＳ１１、Ｓ１２）。以下、顔位置以外からタッチ・スライド操作が行われる毎に、上述の動作が繰り返される結果、検索抽出済み画像の中から選択した画像が順次切り替え表示される。
【００４５】
また、画像切替操作がタッチ・スライド操作ではなく（図３のステップＳ７でＮＯ）、装置本体を所定方向に振る（移動させる）振り操作の場合には、加速度センサ１４によってその振り操作が検出されるので（図４のステップＳ２８でＹＥＳ）、次のステップＳ２９に移り、この振り操作が行われる前に顔を選択する選択操作が行われているか、言い換えれば、顔選択操作直後の振り操作であるかを調べる。ここで、顔選択直後の振り操作でなければ（ステップＳ２９でＮＯ）、画像を検索抽出済みかを調べ（ステップＳ３３）、検索抽出済みでもなければ（ステップＳ３３でＮＯ）、予め決められている順位（例えば、撮影日時順）に従って画像フォルダＧＦから次の画像を選択して読み出し（ステップＳ３６）、この選択画像をタッチ画面ＴＤにフルサイズで切り替え表示させる（ステップＳ３２）。その後、上述の図３のステップＳ５に戻る。
【００４６】
また、上述ように予め所望する人物を特定するためにその顔を選択する選択操作が行われたのちに、振り操作が行われた場合には（ステップＳ２８でＹＥＳ）、顔選択直後の振り操作であるので（ステップＳ２９でＹＥＳ）、上述のステップＳ２３で特定した顔の特徴情報と、画像フォルダＧＦ内の各画像とを比較しながら同じ特徴を持った人物が写っている他の画像を検索し、該当する画像があれば、それらの画像を全て抽出する（ステップＳ３０）。そして、この検索抽出済み画像の中から次の画像を選択して（ステップＳ３１）、この選択画像を切り替え表示させたのち（ステップＳ３２）、図３のステップＳ５に戻る。
【００４７】
ここで、更に、振り操作が行われたときには（ステップＳ２８でＹＥＳ）、顔選択直後の振り操作ではないが（ステップＳ２９でＮＯ）、画像抽出済みであるので（ステップＳ３３でＹＥＳ）、次のステップＳ３４に移り、前回（１回目）の振り操作と今回（２回目）の振り操作との間の時間差を求め、この時間差をスライドショー表示の画像切替時間としてセットしたのち、この切替時間に応じて画像を自動的に切り替え表示させる動作モード（自動スライドショー表示モード）にセットする（ステップＳ３５）。そして、検索抽出済み画像の中から次の画像を選択して（ステップＳ３１）、この選択画像を切り替え表示させる（ステップＳ３２）。
【００４８】
その後、図３のステップＳ５に戻り、以下、自動スライドショーの表示モードにセットされていることが検出される毎に（ステップＳ３７でＹＥＳ）、スライドショー表示の画像切替時間が経過したかを調べ（ステップＳ３８）、その切替時間が経過していなければ（ステップＳ３８でＮＯ）、図３のステップＳ５に戻るが、その時間の経過を検出したときには（ステップＳ３８でＹＥＳ）、上述のステップＳ３１に戻り、上述のステップＳ３０で抽出した検索抽出済み画像の中から次の画像を選択し、この選択画像を切り替え表示させる（ステップＳ３２）。
【００４９】
以上のように、この実施形態においてＣＰＵ１は、複数の画像を切り替えて表示させる場合に、被写体を特定した状態での画像切替操作という簡単な操作で、その被写体を含む他の画像に切り替えて表示させることができ、画像切り替えのバリエーションの多様化が可能となる。
【００５０】
画像切替操作は、タッチ画面ＴＤ上で行われるスライド移動操作（タッチ・スライド操作）であり、タッチ・スライド操作を開始する際の最初の指定位置（タッチ位置）に被写体が含まれているか否かに基づいて被写体を特定した状態での画像切替操作であるか否かを判別するようにしたので、ユーザにあっては被写体の特定と画像切り替えとを容易かつ確実に行うことができる。
【００５１】
画像切替操作は、画像が表示されている状態で当該装置本体を振る振り操作であり、振り操作が行われた際に、画像内の任意の被写体を選択するための選択操作が行われていれば、被写体を特定した状態での画像切替操作であると判別するようにしたので、ユーザにあっては予め所望する被写体を選択しておけば、それ以降は、振り操作によってその被写体を含む他の画像への切り替えを容易に行うことができる。
【００５２】
被写体は、タッチ画面ＴＤに表示されている画像内で任意に選択された人物の顔部分を画像解析することによって特定した人物であり、画像切替操作が検出された際に、画像解析によって人物が特定されていれば、被写体を特定した状態での画像切替操作であると判別するようにしたので、ユーザにあっては所望する人物の顔部分をタッチして選択しておけば、その人物を含む他の画像への切り替えを容易に行うことができる。
【００５３】
画像解析によって人物を特定した場合に、その人物を明示するためにその顔部分を識別表示するようにしたので、タッチ範囲を容易に確認することができる。
【００５４】
画像内の複数の被写体を特定した状態での画像切替操作であれば、各被写体を共通して含む他の画像を選択して、その選択画像を切り替え表示させるようにしたので、所望する複数の被写体を含む他の画像を切り替え表示させることができる。
【００５５】
画像内の任意の被写体を選択するための選択操作が行われている状態において、画像切替操作が検出された際に、被写体を特定した状態での画像切替操作であると判別するようにしたので、ユーザにあっては予め所望する被写体を選択しておけば、それ以降は、画像切替操作によってその被写体を含む他の画像への切り替えを容易に行うことができる。
【００５６】
被写体を特定していない状態での画像切替操作であれば、予め決められている順位に従って画像を選択して、その選択画像を切り替え表示させるようにしたので、例えば、撮影日時順などのような通常の画像切り替えにも容易に対応することができる。
【００５７】
画像切替操作が複数回行われた際に、その各操作間の時間間隔に基づいて画像の切替時間を設定し、その切替時間に応じて画像を選択して、その選択画像を前記表示画面に切り替え表示させるようにしたので、切替時間の設定に応じて画像の切り替えを自動的に行う自動スライドショー表示が可能となる。
【００５８】
画像内に含まれている被写体がアドレス帳ＡＤ内の人物と特徴的に同じであれば、その人物の名前を読み出して案内出力するようにしたので、誰を特定したかを知ることができる。
【００５９】
なお、上述した実施形態においては、画像切替操作として、タッチ画面ＴＤを指や物で接触しながら移動するスライド移動操作（タッチ・スライド操作）、あるいは装置本体を所定方向に振る（移動させる）振り操作を例示したが、画像切替操作は、画像が表示されている状態での特定キー操作であってもよい。例えば、カーソルキー操作によってカーソルを移動させる操作などであってもよい。この場合、特定キーが操作された際に、画像内の任意の被写体を選択するための選択操作が行われていれば、被写体を特定した状態での画像切替操作であると判別するようにすればよい。これによって予め所望する被写体を選択しておけば、それ以降は、画像切替操作によってその被写体を含む他の画像への切り替えを容易に行うことができる。
【００６０】
また、上述した実施形態においては、画像解析によって人物を特定した場合に、その人物を明示するためにその顔部分を識別表示するようにしたが、枠表示に限らず、顔部分を指し示す矢印を付加表示するなど、どのような形態の識別表示であってもよい。
【００６１】
また、上述した実施形態においては、被写体を特定していない状態での画像切替操作時には、撮影日時順に画像を切り替え表示させたが、画像の記憶順、ファイル名順など、どのような順序で切り替え表示を行うかは任意である。
その他、画像表示装置としては携帯電話装置に限らず、例えば、ＰＣ（パーソナルコンピュータ）、ＰＤＡ（個人用の携帯情報端末）、デジタルカメラ、電子腕時計、音楽再生機などのであっても同様に適用可能である。
【図面の簡単な説明】
【００６２】
【図１】画像表示装置として適用した携帯電話装置の基本的な構成要素を示したブロック図。
【図２】アドレス帳ＡＤを説明するための図。
【図３】ユーザ操作によって画像表示が指示された際に実行開始される動作を示したフローチャート。
【図４】図３に続く動作を示したフローチャート。
【図５】（１）は人物の顔位置以外からタッチ・スライド操作が行われる場合の表示例を示し、（２）は、１本の指で一人の顔の位置をタッチしたままの状態でタッチ・スライド操作を行った場合の表示例を示し、（３）は、２本の指で二人の顔の位置をタッチした状態でタッチ・スライド操作を行った場合の表示例を示した図。
【図６】（１）は、顔アイコンｉｃがタッチされた場合の表示例を示し、（２）は、一人目（左端の子）の顔をタッチしたのち、二人目（真中の子）の顔の位置をタッチした場合の表示例を示し、（３）は、予め所望する人物を特定するためにその顔を選択する選択操作が行われたのち、顔位置以外からのタッチ・スライド操作が行われた場合の表示例を示した図。
【符号の説明】
【００６３】
１  ＣＰＵ
３  記憶部
８  操作部
１０  撮像部
１１  表示部
１２  接触操作部
１４  加速度センサ
ＴＤ  タッチ画面
ＡＤ  アドレス帳
ＧＦ  画像フォルダ
【図１】
2010097393.tif 000003
【図２】
2010097393.tif 000004
【図３】
2010097393.tif 000005
【図４】
2010097393.tif 000006
【図５】
2010097393.tif 000007
【図６】
2010097393.tif 000008